(57)【特許請求の範囲】
【請求項１】
各々ボード制御手段およびボード記憶手段を備え、且つそれぞれ固有の識別情報が割り当てられた複数のボードを含む制御手段と、
それぞれ固有の識別情報が割り当てられた複数の障害処理手段と、
各前記ボードおよび各前記障害処理手段を制御する障害制御手段と、
各前記ボードのうち、中央処理装置として動作するボードに割り当てられた第１の識別情報と、各前記障害処理手段のうち、中央処理装置用として割り振られた障害処理手段に割り当てられた第２の識別情報とを関連づけ、さらに、各前記ボードのうち、拡張記憶として動作するボードに割り当てられた第３の識別情報と、各前記障害処理手段のうち、拡張記憶用として割り振られた障害処理手段に割り当てられた第４の識別情報とを関連づけた構成情報を保持する構成情報管理手段と
を含み、
障害が発生したボードに割り当てられている識別情報が、前記構成情報に含まれる中央処理装置として動作するボードに割り当てられた前記第１の識別情報と同じであるときは、その第１の識別情報に関連づけて前記構成情報に登録された前記第２の識別情報が割り当てられた前記障害処理手段が、前記障害制御手段を介して、全ての前記ボードのボード制御手段を、各前記中央処理装置として動作するボードへのアクセスを停止するよう制御し、さらに、各前記中央処理装置として動作するボードのボード制御手段を、動作を停止するよう制御し、
前記ボード制御手段が、前記制御に基づき、自身が含まれるボードのボード記憶手段に記憶された情報を消去し、動作を停止する
情報処理装置。
【請求項２】
前記ボード制御手段は、前記構成情報管理手段から前記構成情報を受け取り、
自身が含まれるボードに割り当てられた識別情報が、前記構成情報に含まれる中央処理装置として動作するボードに割り当てられた前記第１の識別情報と同じ場合は、自身が含まれるボードを、中央処理装置として動作させ、
一方、自身が含まれるボードに割り当てられた識別情報が、前記構成情報に含まれる拡張記憶として動作するボードに割り当てられた前記第３の識別情報と同じ場合は、自身が含まれるボードを、拡張記憶として動作させる
請求項１に記載の情報処理装置。
【請求項３】
前記障害制御手段は、前記構成情報管理手段から前記構成情報を受け取り、
前記構成情報に含まれる、中央処理装置として動作するボードに割り当てられた前記第１の識別情報と関連づけられている前記第２の識別情報と同じ識別情報が割り当てられている障害処理手段を、中央処理装置として動作するボード用の障害処理手段として制御し、
一方、前記構成情報に含まれる、拡張記憶として動作するボードに割り当てられた前記第３の識別情報と関連づけられている前記第４の識別情報と同じ識別情報が割り当てられている障害処理手段を、拡張記憶として動作するボード用の障害処理手段として制御する
請求項１または２に記載の情報処理装置。
【請求項４】
各々ボード制御手段およびボード記憶手段を備え、且つそれぞれ固有の識別情報が割り当てられた複数のボードのうち、中央処理装置として動作するボードに割り当てられた第１の識別情報と、それぞれ固有の識別情報が割り当てられた複数の障害処理手段のうち、中央処理装置用として割り振られた障害処理手段に割り当てられた第２の識別情報とを関連づけ、さらに、各前記ボードのうち、拡張記憶として動作するボードに割り当てられた第３の識別情報と、各前記障害処理手段のうち、拡張記憶用として割り振られた障害処理手段に割り当てられた第４の識別情報とを関連づけた構成情報を、構成情報管理手段に保持し、
障害が発生したボードに割り当てられている識別情報が、前記構成情報に含まれる中央処理装置として動作するボードに割り当てられた前記第１の識別情報と同じであるときは、全ての前記ボードのボード制御手段を、各前記中央処理装置として動作するボードへのアクセスを停止するよう制御し、さらに、各前記中央処理装置として動作するボードのボード制御手段を、動作を停止するよう制御する
拡張記憶制御方法。
【請求項５】
前記制御に基づき、前記ボード制御手段が含まれるボードのボード記憶手段に記憶された情報を消去し、当該ボードの動作を停止する
請求項４に記載の拡張記憶制御方法。
【請求項６】
前記構成情報管理手段から前記構成情報を受け取り、
前記ボード制御手段が含まれるボードに割り当てられた識別情報が、前記構成情報に含まれる中央処理装置として動作するボードに割り当てられた前記第１の識別情報と同じ場合は、前記ボード制御手段が含まれるボードを、中央処理装置として動作させ、
一方、前記ボード制御手段が含まれるボードに割り当てられた識別情報が、前記構成情報に含まれる拡張記憶として動作するボードに割り当てられた前記第３の識別情報と同じ場合は、前記ボード制御手段が含まれるボードを、拡張記憶として動作させる
請求項４または５に記載の拡張記憶制御方法。
【請求項７】
前記構成情報管理手段から前記構成情報を受け取り、
前記構成情報に含まれる、中央処理装置として動作するボードに割り当てられた前記第１の識別情報と関連づけられている前記第２の識別情報と同じ識別情報が割り当てられている障害処理手段を、中央処理装置として動作するボード用の障害処理手段として制御し、
一方、前記構成情報に含まれる、拡張記憶として動作するボードに割り当てられた前記第３の識別情報と関連づけられている前記第４の識別情報と同じ識別情報が割り当てられている障害処理手段を、拡張記憶として動作するボード用の障害処理手段として制御する
請求項４乃至６のいずれかに記載の拡張記憶制御方法。
【請求項８】
各々ボード制御手段およびボード記憶手段を備え、且つそれぞれ固有の識別情報が割り当てられた複数のボードのうち、中央処理装置として動作するボードに割り当てられた第１の識別情報と、それぞれ固有の識別情報が割り当てられた複数の障害処理手段のうち、中央処理装置用として割り振られた障害処理手段に割り当てられた第２の識別情報とを関連づけ、さらに、各前記ボードのうち、拡張記憶として動作するボードに割り当てられた第３の識別情報と、各前記障害処理手段のうち、拡張記憶用として割り振られた障害処理手段に割り当てられた第４の識別情報とを関連づけた構成情報を、構成情報管理手段に保持する処理と、
障害が発生したボードに割り当てられている識別情報が、前記構成情報に含まれる中央処理装置として動作するボードに割り当てられた前記第１の識別情報と同じであるときは、全ての前記ボードのボード制御手段を、各前記中央処理装置として動作するボードへのアクセスを停止するよう制御し、さらに、各前記中央処理装置として動作するボードのボード制御手段を、動作を停止するよう制御する処理と
をコンピュータに実行させる拡張記憶制御プログラム。
【請求項９】
前記構成情報管理手段から前記構成情報を受け取る処理と、
前記ボード制御手段が含まれるボードに割り当てられた識別情報が、前記構成情報に含まれる中央処理装置として動作するボードに割り当てられた前記第１の識別情報と同じ場合は、前記ボード制御手段が含まれるボードを、中央処理装置として動作させる処理と、
一方、前記ボード制御手段が含まれるボードに割り当てられた識別情報が、前記構成情報に含まれる拡張記憶として動作するボードに割り当てられた前記第３の識別情報と同じ場合は、前記ボード制御手段が含まれるボードを、拡張記憶として動作させる処理と
をコンピュータに実行させる請求項８に記載の拡張記憶制御プログラム。
【請求項１０】
前記構成情報管理手段から前記構成情報を受け取り、
前記構成情報に含まれる、中央処理装置として動作するボードに割り当てられた前記第１の識別情報と関連づけられている前記第２の識別情報と同じ識別情報が割り当てられている障害処理手段を、中央処理装置として動作するボード用の障害処理手段として制御する処理と、
一方、前記構成情報に含まれる、拡張記憶として動作するボードに割り当てられた前記第３の識別情報と関連づけられている前記第４の識別情報と同じ識別情報が割り当てられている障害処理手段を、拡張記憶として動作するボード用の障害処理手段として制御する処理と
をコンピュータに実行させる請求項８または９に記載の拡張記憶制御プログラム。
【発明の詳細な説明】
【技術分野】
【０００１】
本発明は、情報処理装置、拡張記憶制御方法および拡張記憶制御プログラムに関し、特に、主記憶の一部を拡張記憶として使用する情報処理装置、拡張記憶制御方法および拡張記憶制御プログラムに関する。
【背景技術】
【０００２】
拡張記憶（以降、ＥＭＵ（「Ｅｘｐａｎｄｅｄ  Ｍｅｍｏｒｙ  Ｕｎｉｔ」の略称）と称する。）は、主記憶よりも記憶容量が大容量である。また、ＥＭＵの転送速度は、主記憶と二次記憶（例えば磁気ディスク）との間に位置し、複数のＣＰＵ（「Ｃｅｎｔｒａｌ  Ｐｒｏｃｅｓｓｉｎｇ  Ｕｎｉｔ」の略称）と接続してデータを共有することができる。  ＥＭＵは、共有データ等を格納するため高可用性や高信頼性が求められ、一般的に、ＥＭＵは、外部記憶装置として、ＣＰＵや主記憶装置のボードが格納された筐体とは別の筐体に実装される。そして、ＣＰＵを含む筐体との間は光インターフェース等のネットワークで接続される。しかしながら、ＥＭＵは、主記憶に比べてデータの転送速度が遅く、独立した筐体のため装置の価格が高いという課題があった。そこで、ＣＰＵ内の資源を利用し、揮発性メモリからなる主記憶の一部を、ソフトウェア制御でＥＭＵとして使用する技術が知られている。
【０００３】
なお、関連する技術としては、メインメモリに加えて増設の拡張メモリが搭載されている情報処理装置において、アプリケーションソフトが、使用しない拡張メモリのメモリブロックには電源を供給しないことで省電力化を行うための技術が、特許文献１に記載されている。
【０００４】
また、情報処理システムを構成する複数種類の構成装置の障害処理を、任意の電源供給単位ごとに一括して行うための技術が、特許文献２に記載されている。
【先行技術文献】
【特許文献】
【０００５】
【特許文献１】特開平０８−２６３３６８号公報
【特許文献２】特開平０７−３２５６４７号公報
【発明の概要】
【発明が解決しようとする課題】
【０００６】
しかしながら、主記憶が搭載された中央処理装置の一部をＥＭＵとして使用する技術では、電源制御やＲＡＳ（「（Ｒｅｌｉａｂｉｌｉｔｙ  Ａｖａｉｌａｂｉｌｉｔｙ  Ｓｅｒｖｉｃｅａｂｉｌｉｔｙ）」の略称。）制御を主記憶と一緒に行う。この場合、ＥＭＵに必要な高信頼性、高可用性を実現することが難しい。なぜなら、例えば、主記憶に何らかの障害が発生した場合、ＥＭＵとして割り当てられた部分も動作が停止し、格納されたデータが消失してしまうからである。
【０００７】
なお、特許文献１および２には、拡張メモリおよび拡張記憶の可用性を向上するための技術については、何ら記載されていない。
【０００８】
本発明の目的は、主記憶が搭載された複数の中央処理装置の一部をＥＭＵとして使用する情報処理装置において、ＥＭＵとして割り当てられた部分の可用性を向上させることができる情報処理装置、拡張記憶制御方法および拡張記憶制御プログラムを提供することにある。
【課題を解決するための手段】
【０００９】
本発明の情報処理装置は、
各々ボード制御手段およびボード記憶手段を備え、且つそれぞれ固有の識別情報が割り当てられた複数のボードを含む制御手段と、
それぞれ固有の識別情報が割り当てられた複数の障害処理手段と、
各前記ボードおよび前記障害処理手段を制御する障害制御手段と、
各前記ボードのうち、中央処理装置として動作するボードに割り当てられた第１の識別情報と、各前記障害処理手段のうち、中央処理装置用として割り振られた障害処理手段に割り当てられた第２の識別情報とを関連づけ、さらに、各前記ボードのうち、拡張記憶として動作するボードに割り当てられた第３の識別情報と、各前記障害処理手段のうち、拡張記憶用として割り振られた障害処理手段に割り当てられた第４の識別情報とを関連づけた構成情報を保持する構成情報管理手段と
を含み、
障害が発生したボードに割り当てられている識別情報が、前記構成情報に含まれる中央処理装置として動作するボードに割り当てられた前記第１の識別情報と同じであるときは、その第１の識別情報に関連づけて前記構成情報に登録された前記第２の識別情報が割り当てられた前記障害処理手段が、前記障害制御手段を介して、全ての前記ボードのボード制御手段を、各前記中央処理装置として動作するボードへのアクセスを停止するよう制御し、さらに、各前記中央処理装置として動作するボードのボード制御手段を、動作を停止するよう制御し、
前記ボード制御手段が、前記制御に基づき、自身が含まれるボードのボード記憶手段に記憶された情報を消去し、動作を停止する。
【００１０】
また、本発明の拡張記憶制御方法は、
各々ボード制御手段およびボード記憶手段を備え、且つそれぞれ固有の識別情報が割り当てられた複数のボードのうち、中央処理装置として動作するボードに割り当てられた第１の識別情報と、それぞれ固有の識別情報が割り当てられた複数の障害処理手段のうち、中央処理装置用として割り振られた障害処理手段に割り当てられた第２の識別情報とを関連づけ、さらに、各前記ボードのうち、拡張記憶として動作するボードに割り当てられた第３の識別情報と、各前記障害処理手段のうち、拡張記憶用として割り振られた障害処理手段に割り当てられた第４の識別情報とを関連づけた構成情報を、構成情報管理手段に保持し、
障害が発生したボードに割り当てられている識別情報が、前記構成情報に含まれる中央処理装置として動作するボードに割り当てられた前記第１の識別情報と同じであるときは、全ての前記ボードのボード制御手段を、各前記中央処理装置として動作するボードへのアクセスを停止するよう制御し、さらに、各前記中央処理装置として動作するボードのボード制御手段を、動作を停止するよう制御する。
【００１１】
また、本発明の拡張記憶制御プログラムは、
各々ボード制御手段およびボード記憶手段を備え、且つそれぞれ固有の識別情報が割り当てられた複数のボードのうち、中央処理装置として動作するボードに割り当てられた第１の識別情報と、それぞれ固有の識別情報が割り当てられた複数の障害処理手段のうち、中央処理装置用として割り振られた障害処理手段に割り当てられた第２の識別情報とを関連づけ、さらに、各前記ボードのうち、拡張記憶として動作するボードに割り当てられた第３の識別情報と、各前記障害処理手段のうち、拡張記憶用として割り振られた障害処理手段に割り当てられた第４の識別情報とを関連づけた構成情報を、構成情報管理手段に保持する処理と、
障害が発生したボードに割り当てられている識別情報が、前記構成情報に含まれる中央処理装置として動作するボードに割り当てられた前記第１の識別情報と同じであるときは、全ての前記ボードのボード制御手段を、各前記中央処理装置として動作するボードへのアクセスを停止するよう制御し、さらに、各前記中央処理装置として動作するボードのボード制御手段を、動作を停止するよう制御する処理と
をコンピュータに実行させる。
【発明の効果】
【００１２】
本発明には、主記憶が搭載された複数の中央処理装置の一部をＥＭＵとして使用する情報処理装置において、ＥＭＵとして割り当てられた部分に保持されているデータの消失を防止し、可用性を向上させることができるという効果がある。
【図面の簡単な説明】
【００１３】
【図１】本発明の第１の実施形態を示すブロック図である。
【図２】第１の実施形態における構成情報テーブル２１の一例を示す図である。
【図３】第１の実施形態で、制御装置１０に含まれるボードに割り振られた役割を判別する動作を示すフローチャートである。
【図４】第１の実施形態で、制御装置１０で障害が発生した場合の動作を示すフローチャートである。
【図５】第１の実施形態で、制御装置１０で中央処理装置として割り振られたボードの保守診断を行う際の動作を示すフローチャートである。
【図６】本発明の第２の実施形態を示すブロック図である。
【発明を実施するための形態】
【００１４】
次に、本発明の実施形態について図面を参照して詳細に説明する。
【００１５】
［第１の実施形態］
図１は本発明の第１の実施形態を示すブロック図である。
【００１６】
図１を参照すると、情報処理装置１は、制御装置１０と、構成情報管理部２０と、固有の識別情報が割り当てられた複数の電源モジュール３１に接続した電源制御部３０と、固有の識別情報が割り当てられた複数のＲＡＳモジュール４１に接続したＲＡＳ制御部４０とを含む。
【００１７】
制御装置１０は、制御部および揮発性メモリからなる記憶部を備える複数のボードを含む。各ボードは、制御装置１０の内部で相互に接続されている。なお、それぞれのボードには固有の識別情報が割り当てられており、例えば本実施形態では、制御装置１０には４つのボードが含まれ、それぞれにＡ、Ｂ、ＣおよびＤという識別情報が割り当てられているものとする。また、各ボードは中央処理装置、またはＥＭＵのどちらかとして使用される。例えば本実施形態では、ボードＡおよびボードＢは中央処理装置として割り振られ、ボードＣおよびボードＤはＥＭＵとして割り振られることとする。
【００１８】
構成情報管理部２０は、制御装置１０に含まれる各ボードに割り当てられた識別情報と、電源モジュール３１に割り当てられた識別情報と、ＲＡＳモジュール４１に割り当てられた識別情報とを関連づけた構成情報を格納した構成情報テーブル２１を含む。また、構成情報管理部２０は、構成情報テーブル２１に格納された構成情報を、制御装置１０に含まれる各ボードの制御部と、電源制御部３０と、ＲＡＳ制御部４０とに送付する。なお、構成情報は、情報処理装置１に接続された端末（図示せず）から、事前に利用者によって入力され、構成情報テーブル２１に格納される。
【００１９】
電源制御部３０は、制御装置１０に含まれる各ボードと接続されている。そして、電源制御部３０は、構成情報管理部２０から受け取った構成情報に基づき、複数の電源モジュール３１を、中央処理装置として使用されるボード用と、ＥＭＵとして使用されるボード用とに割り振って制御する。なお、電源モジュール３１に割り当てられた識別情報は、例えば本実施形態では、３つの電源モジュール３１にＡ、ＢおよびＣという識別情報が割り当てられているものとする。
【００２０】
ＲＡＳ制御部４０は、制御装置１０に含まれる各ボードと接続されている。そして、ＲＡＳ制御部４０は、構成情報管理部２０から受け取った構成情報に基づき、複数のＲＡＳモジュール４１を、中央処理装置として使用されるボード用と、ＥＭＵとして使用されるボード用とに割り振って制御する。なお、ＲＡＳモジュール４１に割り当てられた識別情報は、例えば本実施形態では、３つのＲＡＳモジュール４１にＡ、ＢおよびＣという識別情報が割り当てられているものとする。
【００２１】
また、ＲＡＳ制御部４０は、情報処理装置１の各部で発生した障害の発生個所を示す識別情報と障害内容を示す情報とが含まれる障害通知を受信する。そして、障害の発生等により各ボードに供給される電源を制御する場合は、ＲＡＳ制御部４０は、電源制御部３０にその電源制御を示す指示を送付し、その指示を受け取った電源制御部３０が各ボードに供給される電源を個別に制御する。
【００２２】
制御装置１０に含まれるボードの制御部、構成情報管理部２０、電源制御部３０およびＲＡＳ制御部４０は、プログラムを記憶する記憶デバイス（図示せず）と、そのプログラムをメモリに読み込んで命令を実行する１つまたは複数のプロセッサ（図示せず）とを含む。
【００２３】
図２は、構成情報テーブル２１の一例を示す図である。
【００２４】
図２を参照すると、構成情報テーブル２１は、中央処理装置割り当て欄とＥＭＵ割り当て欄とに分かれている。そして、中央処理装置割り当て欄はさらに、制御装置１０に含まれる各ボードのうち、中央処理装置として割り振られたボードに割り当てられた識別情報が登録されるボード識別欄と、中央処理装置用として割り振られた電源モジュール３１に割り当てられた識別情報が登録される電源識別欄と、中央処理装置用として割り振られたＲＡＳモジュール４１に割り当てられた識別情報が登録されるＲＡＳ識別欄とを含む。また、ＥＭＵ割り当て欄はさらに、制御装置１０に含まれる各ボードのうち、ＥＭＵとして割り振られたボードに割り当てられた識別情報が登録されるボード識別欄と、ＥＭＵ用として割り振られた電源モジュール３１に割り当てられた識別情報が登録される電源識別欄と、ＥＭＵ用として割り振られたＲＡＳモジュール４１に割り当てられた識別情報が登録されるＲＡＳ識別欄とを含む。
【００２５】
例えば、図２の３行目を参照すると、中央処理装置割り当て欄のボード識別欄が「Ａ」および「Ｂ」であるので、「ボードＡ」と「ボードＢ」とが中央処理装置として割り振られたボードであることが判る。そして、電源識別欄とＲＡＳ識別欄とが両方とも「Ａ」であるので、電源モジュール３１のうち「電源モジュールＡ」が、また、ＲＡＳモジュール４１のうち「ＲＡＳモジュールＡ」が、それぞれ中央処理装置用として割り振られたモジュールであることが判る。
【００２６】
また、ＥＭＵ割り当て欄のボード識別欄が「Ｃ」および「Ｄ」であるので、ＥＭＵとして割り振られたボードは「ボードＣ」および「ボードＤ」であることが判る。そして、電源識別欄とＲＡＳ識別欄とが両方とも「Ｂ」および「Ｃ」であるので、ＥＭＵ用として割り振られた電源モジュール３１は「電源モジュールＢ」および「電源モジュールＣ」、ＲＡＳモジュール４１は「ＲＡＳモジュールＢ」および「ＲＡＳモジュールＣ」であることが判る。
【００２７】
次に、情報処理装置１の動作について説明する。
【００２８】
図３は、制御装置１０に含まれる各ボードの制御部が、自身が含まれるボードが中央処理装置として割り振られたのか、またはＥＭＵとして割り振られたのかを判別するときの動作の概要を示すフローチャートである。
【００２９】
図３を参照すると、まず、各ボードの制御部は、構成情報管理部２０から図２に示す構成情報テーブル２１に格納されている構成情報を受け取る（ステップＳ１０１）。
【００３０】
次に、各ボードの制御部は、自身が含まれるボードに割り当てられた識別情報と同じ識別情報が、構成情報の中央処理装置割り当て欄のボード識別欄にあるか、または、ＥＭＵ割り当て欄のボード識別欄にあるかを確認する。そして、各ボードの制御部は、自身が含まれるボードを、中央処理装置割り当て欄のボード識別欄にあった場合は中央処理装置として、また、ＥＭＵ割り当て欄のボード識別欄にあった場合はＥＭＵとして、以降動作させる（ステップＳ１０２）。
【００３１】
なお、電源制御部３０は、構成情報管理部２０から受け取った構成情報の、中央処理装置割り当て欄の電源識別欄に格納されている識別情報と同じ識別情報が割り当てられている電源モジュール３１を、中央処理装置として使用されるボード用の電源モジュールとして制御する。そして、電源制御部３０は、構成情報のＥＭＵ割り当て欄の電源識別欄に格納されている識別情報と同じ識別情報が割り当てられている電源モジュール３１を、ＥＭＵとして使用されるボード用の電源モジュールとして制御する。
【００３２】
また、ＲＡＳ制御部４０は、構成情報管理部２０から受け取った構成情報の、中央処理装置割り当て欄のＲＡＳ識別欄に格納されている識別情報と同じ識別情報が割り当てられているＲＡＳモジュール４１を、中央処理装置として使用されるボード用のＲＡＳモジュールとして制御する。そして、ＲＡＳ制御部４０は、構成情報のＥＭＵ割り当て欄のＲＡＳ識別欄に格納されている識別情報と同じ識別情報が割り当てられているＲＡＳモジュール４１を、ＥＭＵとして使用されるボード用のＲＡＳモジュールとして制御する。
【００３３】
図４は、制御装置１０にて障害が発生した場合の、ＲＡＳ制御部４０およびＲＡＳモジュール４１の動作の概要を示すフローチャートである。
【００３４】
図４を参照すると、まず、制御装置１０に含まれるボードで障害が発生した場合、障害が発生したボードに割り当てられた識別情報と障害内容を示す情報とが含まれる障害通知が、ＲＡＳ制御部４０に通知される（ステップＳ２０１）。
【００３５】
ＲＡＳ制御部４０は、受け取った障害通知に含まれるボードの識別情報と、構成情報管理部２０から受け取った構成情報とから、その障害が中央処理装置として割り振られたボードで発生した障害か否かを判別する（ステップＳ２０２）。すなわち、障害通知に含まれるボードの識別情報と同じ識別情報が、構成情報の中央処理装置割り当て欄のボード識別欄に格納されている場合は、その障害が中央処理装置として割り振られたボードで発生した障害であると判別する。
【００３６】
障害が発生したボードが、中央処理装置として割り振られたボードである場合（ステップＳ２０２で「ＹＥＳ」の場合）は、ＲＡＳ制御部４０は、構成情報の中央処理装置割り当て欄のＲＡＳ識別欄に格納されている識別情報が割り当てられたＲＡＳモジュール４１に、障害通知を転送する（ステップＳ２０３）。
【００３７】
障害通知を受け取ったＲＡＳモジュール４１は、障害通知に含まれる障害内容を示す情報を基に、その障害が、発生したボードの記憶部に記憶されたデータの信頼性を保証できない障害か否かを判断する。データの信頼性を保証できない障害の場合は、ＲＡＳモジュール４１は、中央処理装置として割り振られた他のボードも含め、アクセスを遮断する（ステップＳ２０４）。すなわち、ＲＡＳモジュール４１は、ＲＡＳ制御部４０を介して、制御装置１０に含まれるすべてのボードの制御部に対して、中央処理装置として割り振られたボードへのアクセスを止めるように指示する。一方、ＥＭＵとして割り振られた各ボードへのアクセスは継続される。
【００３８】
次に、ＲＡＳモジュール４１は、ＲＡＳ制御部４０を介して、障害が発生したボードから障害に関する情報を取得し、自身の内部の所定の場所（図示せず）に保持する（ステップＳ２０５）。
【００３９】
そして、ＲＡＳモジュール４１は、ＲＡＳ制御部４０を介して、障害が発生したボードに加えて、中央処理装置として割り振られた各ボードの制御部に、動作を停止する指示を送付する。当該停止指示を受け取った制御部は、動作を停止し、そのボードの記憶部は、揮発性メモリからなるのでクリアされる（ステップＳ２０６）。
【００４０】
一方、ステップＳ２０２で、障害が発生したボードが、中央処理装置として割り振られたボードではない場合（ステップＳ２０２で「ＮＯ」の場合）、すなわち、ＥＭＵとして割り振られたボードで障害が発生した場合は、ＲＡＳ制御部４０は、構成情報のＥＭＵ割り当て欄のＲＡＳ識別欄に格納されている識別情報が割り当てられたＲＡＳモジュール４１に、障害通知を送付する（ステップＳ２０７）。なお、ＲＡＳ識別欄に複数の識別情報が格納されている場合は、そのうちの予め定めた１つの識別情報が割り当てられたＲＡＳモジュール４１に送付する。
【００４１】
障害通知を受け取ったＲＡＳモジュール４１は、障害通知に含まれる障害内容を示す情報を基に、その障害が、発生したボードの記憶部に記憶されたデータの信頼性を保証できない障害か否かを判断する。データの信頼性を保証できない障害の場合は、ＲＡＳモジュール４１は、ＥＭＵとして割り振られた他のボードも含め、アクセスを遮断する（ステップＳ２０８）。すなわち、ＲＡＳモジュール４１は、ＲＡＳ制御部４０を介して、制御装置１０に含まれるすべてのボードの制御部に対して、ＥＭＵとして割り振られたボードへのアクセスを止めるように指示する。一方、中央処理装置として割り振られた各ボードへのアクセスは継続される。
【００４２】
次に、ＲＡＳモジュール４１は、ＲＡＳ制御部４０を介して、障害が発生したボードから障害に関する情報を取得し、自身の内部の所定の場所（図示せず）に保持する（ステップＳ２０９）。
【００４３】
そして、ＲＡＳモジュール４１は、ＲＡＳ制御部４０を介して、障害が発生したボードに加えて、ＥＭＵとして割り振られた各ボードの制御部に、動作を停止する指示を送付する。当該停止指示を受け取った制御部は、動作を停止し、そのボードの記憶部は、揮発性メモリからなるのでクリアされる（ステップＳ２１０）。
【００４４】
このようにして、情報処理装置１は、中央処理装置として割り振られたボードに何らかの障害が発生したときでも、ＥＭＵとして割り振られた各ボードの記憶部に保持されているデータの消失を防止することができる。
【００４５】
次に、図５は、制御装置１０で中央処理装置として割り振られたボードの保守診断を行う場合の、ＲＡＳ制御部４０およびＲＡＳモジュール４１の動作の概要を示すフローチャートである。
【００４６】
図５を参照すると、まず、利用者の、情報処理装置１に接続された端末（図示せず）からの、中央処理装置として割り振られたボードの保守診断開始の指示を受けて、ＲＡＳ制御部４０は、中央処理装置として割り振られた各ボードへのアクセスを遮断する（ステップＳ３０１）。すなわち、ＲＡＳ制御部４０は、制御装置１０に含まれるすべてのボードの制御部に対して、中央処理装置として割り振られたボードへのアクセスを止めるように指示する。一方、ＥＭＵとして割り振られた各ボードへのアクセスは継続される。
【００４７】
次に、ＲＡＳ制御部４０は、中央処理装置として割り振られた各ボードの制御部に、動作を停止する指示を送付する。当該停止指示を受け取った制御部は、動作を停止し、ＲＡＳ制御部４０は、停止したボードの保守診断を行う。その際、ＲＡＳ制御部４０は、保守診断を行った各ボードの記憶部をクリアする（ステップＳ３０２）。
【００４８】
なお、本実施形態では、制御装置１０に含まれる４つのボードのうち、中央処理装置として割り振られたボードが２つ、ＥＭＵとして割り振られたボードが２つであるとして説明したが、これに限られるものではない。例えば、中央処理装置として２つのボードを割り振り、第１のＥＭＵとして１つのボードを割り振り、さらに第２のＥＭＵとして１つのボードを割り振ることでもよい。この場合、第１および第２のＥＭＵにそれぞれ複数の電源モジュール３１および複数のＲＡＳモジュール４１を割り振ることが必要になるが、このように、複数のＥＭＵを設定することで、各ＥＭＵに別々の情報を格納し、それぞれの情報の可用性を向上することができる。
【００４９】
以上、本実施形態には、制御装置１０に含まれる複数のボードのうち、ＥＭＵとして割り振られた各ボードの揮発性メモリからなる記憶部に保持されているデータの消失を防止し、信頼性、可用性の向上を図ることができるという効果がある。
【００５０】
その理由は、ＲＡＳ制御部４０およびＲＡＳモジュール４１が、中央処理装置として割り振られた各ボードの障害時や保守診断時に、構成情報テーブル２１に格納された情報に基づいて、ＥＭＵとして割り振られた各ボードの動作に影響を与えないように制御を行うからである。
【００５１】
［第２の実施形態］
次に、本発明の第１の実施形態の基本的な構成を含む、第２の実施形態について説明する。
【００５２】
図６は本実施形態を示すブロック図である。
【００５３】
図６を参照すると、情報処理装置５は、ボード制御部および揮発性メモリからなるボード記憶部を備え、それぞれ固有の識別情報が割り当てられた複数のボードを含む制御装置５０と、構成情報を保持する構成情報管理部６０と、複数の障害処理部７１に接続した障害制御部７０とを含む。
【００５４】
制御装置５０に含まれる各ボードは、中央処理装置、またはＥＭＵのどちらかとして動作する。
【００５５】
障害制御部７０は、障害処理部７１を、中央処理装置として使用されるボード用と、ＥＭＵとして使用されるボード用とに割り振って制御する。
【００５６】
構成情報管理部６０が保持する構成情報には、制御装置５０に含まれるボードのうち中央処理装置として動作するボードに割り当てられた第１の識別情報と、障害処理部７１のうち中央処理装置用として割り振られた障害処理部７１に割り当てられた第２の識別情報とを関連づけた情報が含まれる。さらに、構成情報には、制御装置５０に含まれるボードのうちＥＭＵとして動作するボードに割り当てられた第３の識別情報と、障害処理部７１のうちＥＭＵ用として割り振られた障害処理部７１に割り当てられた第４の識別情報とを関連づけた情報が含まれる。
【００５７】
そして、制御装置５０に含まれるボードのうちの１つで障害が発生した場合、障害が発生したボードのボード制御部は、当該ボードに割り当てられている識別情報が、構成情報管理部６０に保持されている構成情報に含まれる、中央処理装置として動作するボードに割り当てられた第１の識別情報と同じであるか否かを判別する。
【００５８】
第１の識別情報と同じである場合は、その第１の識別情報に関連づけて構成情報に登録された第２の識別情報が割り当てられた障害処理部７１が、障害制御部７０を介して、制御装置５０に含まれる全てのボードのボード制御手段へ、中央処理装置として動作するボードへのアクセスを止める中止指示を通知する。さらに、障害処理部７１は、障害制御部７０を介して、中央処理装置として動作するボードのボード制御手段に、動作を停止する停止指示を通知する。
【００５９】
中央処理装置として動作するボードのボード制御手段は、当該停止指示を受け取り、自身が含まれるボードのボード記憶手段に記憶されたデータを消去し、動作を停止する。
【００６０】
以上、本実施形態には、第１の実施形態と同様に、制御装置５０に含まれるボードのうち、ＥＭＵとして割り振られた各ボードの揮発性メモリからなるボード記憶部に保持されているデータの消失を防止し、信頼性、可用性の向上を図ることができるという効果がある。
【００６１】
その理由は、障害制御部７０および障害処理部７１が、中央処理装置として割り振られた各ボードの障害時に、構成情報管理部６０に格納された構成情報に基づいて、ＥＭＵとして割り振られた各ボードの動作に影響を与えないように制御を行うからである。
【符号の説明】
【００６２】
１    情報処理装置
５    情報処理装置
１０    制御装置
２０    構成情報管理部
３０    電源制御部
３１    電源モジュール
４０    ＲＡＳ制御部
４１    ＲＡＳモジュール
５０    制御装置
６０    構成情報管理部
７０    障害制御部
７１    障害処理部
【図１】
0006567959.tif 000002
【図２】
0006567959.tif 000003
【図３】
0006567959.tif 000004
【図４】
0006567959.tif 000005
【図５】
0006567959.tif 000006
【図６】
0006567959.tif 000007